(57)【要約】【課題】光ネットワークにおいて光パスの導通確認を高速に行う技術を提供する。【解決手段】始点ノード２ａは、光パスの上流方向の帯域リソースを確保し（Ｓ３）、テスト光の受信準備をする（Ｓ４）。終点ノード２ｃは、光パスの上流方向にテスト光の送信を開始し（Ｓ５）、テスト光の送信と並行して下流方向の帯域リソースを確保し（Ｓ５ａ）、テスト光の受信準備をする（Ｓ７）。始点ノード２ａは、テスト光の受信状況に基づいて上流方向の導通が正常であるか否かを判別し（Ｓ６）、正常である場合にテスト光の送信を開始する（Ｓ８）。終点ノード２ｃは、テスト光の受信状況に基づいて下流方向の導通が正常であるか否かを判別し（Ｓ９）、導通が正常である場合にＳＷをデータ入出力用に切り替え（Ｓ１０）、その旨を始点ノード２ａに通知する（Ｓ１１）。始点ノード２ａは、導通が正常であることを認識し（Ｓ１２）、ＳＷを同様に切り替える（Ｓ１３）。【選択図】図６
2010098521.tif 000002
【特許請求の範囲】
【請求項１】
スイッチング部の光スイッチにより光パスの方路を切替えることで波長やＴＤＭ（time division multiplexing）のデータを転送する通信装置と、前記通信装置に前記データを受け渡すことでパケットを転送する機能を持つ信号送受信装置と、前記通信装置および前記信号送受信装置をそれぞれ示す複数のノード間に接続されて光信号を伝送するデータリンクと、前記ノード間に接続されて制御信号を伝送する制御リンクとを備え、前記光パスの始点ノードおよび終点ノードを示す２つの通信装置間において両ノード内の光源で発生させる試験用光信号を伝送することで当該光パスの導通確認を行う導通確認システムにおける導通確認方法であって、
前記終点ノードは、
前記光パスの始点向きの帯域リソースが確保された場合に前記始点ノードに向けて試験用光信号の送信を開始するステップを実行し、
前記始点ノードは、
前記試験用光信号の受信状況に基づいて前記光パスの始点向きの帯域リソースの導通が正常であるか否かを判別することで前記光パスの始点向きの導通確認を実行するステップと、
前記光パスの始点向きの帯域リソースの導通が正常であると判別し、かつ、前記光パスの終点向きの帯域リソースが確保されている場合に、前記終点ノードに向けて試験用光信号の送信を開始するステップとを実行し、
前記終点ノードは、
前記始点ノードから送信される試験用光信号の受信状況に基づいて前記光パスの終点向きの帯域リソースの導通が正常であるか否かを判別することで、前記光パスの終点向きの導通確認を実行するステップと、
前記光パスの終点向きの導通確認において導通が正常であると判別した場合、前記光パスの終点向きの導通が正常であることを示すメッセージを、前記始点ノードに対して送信するステップとを実行することを特徴とする導通確認方法。
【請求項２】
前記始点ノードは、
前記終点ノードが前記試験用光信号の送信を開始する前に、前記終点ノードまでパス確立要求を伝搬させることで前記光パスの少なくとも始点向きの帯域リソースを確保するステップをさらに実行し、
前記終点ノードは、
前記試験用光信号の送信と並行して前記ノードまでパス確立要求応答を伝搬させることで、前記光パスの始点向きの帯域リソースだけが確保されている場合、前記光パスの終点向きの帯域リソースを確保し、一方、前記光パスの双方向の帯域リソースが確保されている場合、前記試験用光信号を送信した旨を示す通知を送信するステップをさらに実行し、
前記始点ノードおよび前記終点ノード間でシグナリングプロトコルをやりとりすることで前記光パスの帯域リソースを確保することを特徴とする請求項１に記載の導通確認方法。
【請求項３】
前記導通確認システムは、前記通信装置に前記制御リンクを介して接続されて前記通信装置を管理する制御装置をさらに備え、
前記制御装置は、当該制御装置の操作者の操作にしたがって、前記始点ノードおよび前記終点ノード間でシグナリングプロトコルをやりとりすることで前記光パスの帯域リソースを確保する指示としてパス確立指示を送信するステップを実行することを特徴とする請求項１または請求項２に記載の導通確認方法。
【請求項４】
前記始点ノードおよび前記終点ノードのいずれか一方のノードが、前記光パスの帯域リソースの導通が正常ではないと判別した場合に、その旨を示す正常性未確認通知を他方のノードに送信することを特徴とする請求項１ないし請求項３のいずれか一項に記載の導通確認方法。
【請求項５】
前記始点ノードおよび前記終点ノードのいずれか一方のノードは、
他方のノードから受信した前記試験用光信号の強度が事前に定められた閾値以下である場合に、前記光パスの帯域リソースの導通が正常ではないと判別することを特徴とする請求項１ないし請求項４のいずれか一項に記載の導通確認方法。
【請求項６】
前記始点ノードは、
前記試験用光信号の送信と並行して前記光パスの始点向きの導通が正常であることを示すメッセージを、前記終点ノードに対して送信するステップをさらに実行し、
前記始点ノードおよび前記終点ノードのいずれか一方のノードは、
他方のノードから、前記試験用光信号が到着する前に、前記導通が正常であることを示すメッセージが到着した場合に、前記光パスの帯域リソースの導通が正常ではないと判別することを特徴とする請求項１ないし請求項５のいずれか一項に記載の導通確認方法。
【請求項７】
前記始点ノードは、
前記制御装置から前記パス確立指示が到着したことをトリガとして、前記スイッチング部の光スイッチの設定を導通試験用に設定することで前記試験用光信号の受信を準備するステップと、
前記終点ノードから前記導通が正常であることを示すメッセージが到着したことをトリガとして、前記スイッチング部の光スイッチの設定を、前記データを転送するためのデータ入出力用に設定するステップとをさらに実行し、
前記終点ノードは、
前記始点ノードから前記パス確立要求が到着したことをトリガとして、前記スイッチング部の光スイッチの設定を導通試験用に設定することで前記試験用光信号の受信を準備するステップと、
前記始点ノードから前記導通が正常であることを示すメッセージが到着したことをトリガとして、前記スイッチング部の光スイッチの設定を、前記データを転送するためのデータ入出力用に設定するステップとをさらに実行することを特徴とする請求項６に記載の導通確認方法。
【請求項８】
前記始点ノードおよび前記終点ノードは、
双方が前記光パスの帯域リソースの導通が正常であると判別した後に、一方のノードが、ＢＥＲ（bit error rate）を測定するためのＢＥＲ測定用信号を他方のノードに送信するステップを実行し、他方のノードが、前記ＢＥＲ測定用信号を受信し、受信したＢＥＲ測定用信号からＢＥＲを測定するステップを実行する一連の処理を前記光パスの双方向において実行するＢＥＲ測定処理を行うことを特徴とする請求項１ないし請求項６のいずれか一項に記載の導通確認方法。
【請求項９】
前記始点ノードは、
前記ＢＥＲ測定処理の前に、前記導通が正常であることを示すメッセージとして、導通試験に続けて前記光パスの両端点間で前記ＢＥＲ測定処理を行うことを示すメッセージを前記終点ノードに送信し、
前記始点ノードおよび前記終点ノードは、
前記ＢＥＲ測定処理前に、前記スイッチング部の光スイッチの設定を、導通試験用の設定からＢＥＲ測定用の設定に切り替え、
前記ＢＥＲ測定処理後に、前記スイッチング部の光スイッチの設定を、前記ＢＥＲ測定用の設定から前記データを転送するためのデータ入出力用の設定に切り替えることを特徴とする請求項８に記載の導通確認方法。
【請求項１０】
前記終点ノードは、
前記試験用光信号の送信を開始するステップにて、ＢＥＲを測定するためのＢＥＲ測定用信号として前記試験用光信号を送信し、
前記始点ノードは、
前記導通確認を実行するステップにて、前記終点ノードから送信される試験用光信号を受信して前記光パスの始点向きの帯域リソースの導通が正常であるか否かを判別すると共に、前記受信した試験用光信号からＢＥＲを測定し、さらに、
前記試験用光信号の送信を開始するステップにて、ＢＥＲを測定するためのＢＥＲ測定用信号として前記試験用光信号を送信し、
前記終点ノードは、
前記導通確認を実行するステップにて、前記始点ノードから送信される試験用光信号を受信して前記光パスの終点向きの帯域リソースの導通が正常であるか否かを判別すると共に、前記受信した試験用光信号からＢＥＲを測定することを特徴とする請求項１ないし請求項６のいずれか一項に記載の導通確認方法。
【請求項１１】
請求項１ないし請求項１０のいずれか一項に記載の導通確認方法を、前記始点ノードとして機能する通信装置のコンピュータに実行させるための導通確認プログラム。
【請求項１２】
請求項１ないし請求項１０のいずれか一項に記載の導通確認方法を、前記終点ノードとして機能する通信装置のコンピュータに実行させるための導通確認プログラム。
【請求項１３】
光パスの方路を切替えることで波長やＴＤＭのデータを転送する通信装置と、前記通信装置に前記データを受け渡すことでパケットを転送する機能を持つ信号送受信装置と、前記通信装置および前記信号送受信装置をそれぞれ示す複数のノード間に接続されて光信号を伝送するデータリンクと、前記ノード間に接続されて制御信号を伝送する制御リンクとを備え、前記光パスの始点ノードおよび終点ノードを示す２つの通信装置間において両ノード内の光源で発生させる試験用光信号を伝送することで当該光パスの導通確認を行う導通確認システムにおける前記始点ノードとして機能する通信装置であって、
前記光パスの方路を切替える光スイッチを有するスイッチング部と、
前記終点ノードから送信される、試験用光信号の受信状況に基づいて前記光パスの始点向きの帯域リソースの導通が正常であるか否かを判別することで前記光パスの始点向きの導通確認を実行し、前記光パスの始点向きの帯域リソースの導通が正常であると判別し、かつ、前記光パスの終点向きの帯域リソースが確保されている場合に、前記終点ノードに向けて試験用光信号の送信を開始する導通確認手段と、
前記終点ノードから、前記光パスの終点向きの導通が正常であることを示すメッセージを前記制御リンクを介して受信することで、前記光パスの終点向きにおいて導通が正常であると判別するシグナリングメッセージ制御手段と、
前記導通が正常であることを示すメッセージを受信した場合に、前記信号送受信装置から受け渡される前記データを入出力できるように前記スイッチング部の光スイッチを制御するスイッチング制御手段と、
を備えることを特徴とする通信装置。
【請求項１４】
光パスの方路を切替えることで波長やＴＤＭのデータを転送する通信装置と、前記通信装置に前記データを受け渡すことでパケットを転送する機能を持つ信号送受信装置と、前記通信装置および前記信号送受信装置をそれぞれ示す複数のノード間に接続されて光信号を伝送するデータリンクと、前記ノード間に接続されて制御信号を伝送する制御リンクとを備え、前記光パスの始点ノードおよび終点ノードを示す２つの通信装置間において両ノード内の光源で発生させる試験用光信号を伝送することで当該光パスの導通確認を行う導通確認システムにおける前記終点ノードとして機能する通信装置であって、
前記光パスの方路を切替える光スイッチを有するスイッチング部と、
前記光パスの始点向きの帯域リソースが確保された場合に前記始点ノードに向けて試験用光信号の送信を開始し、当該終点ノードよりも後から試験用光信号の送信を開始した前記始点ノードから送信される試験用光信号の受信状況に基づいて前記光パスの終点向きの帯域リソースの導通が正常であるか否かを判別することで、前記光パスの終点向きの導通確認を実行する導通確認手段と、
前記光パスの終点向きの導通確認において導通が正常であると判別した場合、前記光パスの終点向きの導通が正常であることを示すメッセージを、前記始点ノードに対して前記制御リンクを介して送信するシグナリングメッセージ制御手段と、
前記導通が正常であると判別した場合、前記信号送受信装置から受け渡される前記データを入出力できるように前記スイッチング部の光スイッチを制御するスイッチング制御手段と、
を備えることを特徴とする通信装置。
【請求項１５】
光パスの方路を切替えることで波長やＴＤＭのデータを転送する通信装置と、前記通信装置に前記データを受け渡すことでパケットを転送する機能を持つ信号送受信装置と、前記通信装置および前記信号送受信装置をそれぞれ示す複数のノード間に接続されて光信号を伝送するデータリンクと、前記ノード間に接続されて制御信号を伝送する制御リンクとを備え、前記光パスの始点ノードおよび終点ノードを示す２つの通信装置間において両ノード内の光源で発生させる試験用光信号を伝送することで当該光パスの導通確認を行う導通確認システムであって、
請求項１３に記載の通信装置を前記始点ノードとして備えると共に、
請求項１４に記載の通信装置を前記終点ノードとして備えることを特徴とする導通確認システム。
【発明の詳細な説明】
【技術分野】
【０００１】
本発明は、光ネットワークのノード間の通信に用いる光パスの導通試験技術に関する。
【背景技術】
【０００２】
近年、ネットワークの著しい高速大容量化が進み、電気処理の限界が近づいている。それに代わり、信号の送信から伝送、受信まで全てを光のまま行う全光網が次世代網として注目されている。光の信号（光信号）を電気信号に変換せずに直接終端まで伝送することで、４０Ｇビット／秒や１００Ｇビット／秒など超高速大容量伝送が実現できると同時に、消費電力を抑えることも可能である。また、変調方式が異なる信号が混在できることや信号速度が異なる信号が混在できることを示すトランスペアレンシーという特長もある。
【０００３】
このような光ネットワークでは、光パスの方路を切り替える機能を持つスイッチ装置が存在する。これらスイッチ装置のおかげで、光信号を光のまま転送すべき方向にスイッチングすることができる。光スイッチには、ＭＥＭＳ（Micro Electric Mechanica1 Switch）、ＴＯスイッチ（Thermo-Optics Switch）などの種類が存在する。
【０００４】
光スイッチは、入力ポートから入ってきた信号を適切な出力ポートにスイッチングして次の装置に転送するという受動的な装置であるため、自らの故障や信号伝送時の異常を検知することが難しい。そのため、光パスを設定して光信号を伝送する前に、スイッチ装置を経由する光パスが正常に設定されたか否かを確認する導通試験が必要である。
【０００５】
また、光ネットワークが普及するにつれて、ＧＭＰＬＳ（Generalized Multi Protoco1 Labe1 Switching）技術による光パス設定方式も浸透してきている。このＧＭＰＬＳ技術を用いることで、自動で高速に光パスを設定できるため、必要なときに必要な時間だけ必要な帯域の光パスを設定するオンデマンドサービスが容易に実現できる。
【０００６】
従来、例えば、図１３や図１４に示すように、光パス確立のための設定手順としてＧＭＰＬＳのようなシグナリングプロトコルを使用することが可能な導通試験手順が知られている（特許文献１参照）。ここでは、簡単のため、パス起動ノードと、パス終端ノードと、その中間ノードのみを示し、障害無く導通を確認するまでの単純な処理の流れを示した。また、以下では、パス起動ノードからパス終端ノードへ光信号が送信される方向を下流方向、その逆方向を上流方向という。図１３に示す処理は、光パスを設定するためのシグナリングが終了した後、続けて導通試験を実施することで、光パスの正常性の確認を行うものである。
【０００７】
具体的には、パス起動ノードが光パス設定通知（Path：Ｓ１０１）を発行すると、光パス設定通知（Path）は、中間ノードを経由してパス終端ノードへ転送される。パス終端ノードは、光パス設定通知（Path）にしたがって光パスが形成されるようにスイッチの方路を設定し（Ｓ１０２）、リソース確保通知（Resv：Ｓ１０３）を、中間ノードを経由してパス起動ノードに対して返信する。パス起動ノードは、光パスの設定を完了（Ｓ１０５）した後、パス終端ノードに対して正常性検査（導通試験）を行うように指示（検査通知）を送信し（Ｓ１０６）、そのための監視光信号をパス終端ノードに送信する（Ｓ１０７）。パス終端ノードは、監視光信号が正常に検出されているか否かを判定し、正常に検出されているなら（Ｓ１０８：ＯＫ／ＮＧ判定→ＯＫ）、パス起動ノードに対して正常通知を送信する（Ｓ１０９）。パス起動ノードは、監視光信号の送信を終了し（Ｓ１１０）、正常性検査の終了通知をパス終端ノードに対して送信する（Ｓ１１１）。これにより、下流方向の導通試験においては、設定されるパスを構成するすべてのノードのうち、パス終端ノードだけが、導通の正常性を確認する判定（導通確認）を行うだけで、下流方向の導通試験を終了することができる。なお、上流方向も同様な処理で導通試験を行う。
【０００８】
また、図１４に示す処理は、光パスを設定するためのシグナリングと、導通試験とを並行して実施することで、光パスの正常性の確認を行うものである。具体的には、パス起動ノードは、光パス設定通知（Path）を送信し（Ｓ１２１）、スイッチの方路を設定する。中間ノードは、光パス設定通知（Path）を受信するとパス終端ノードに転送し、自ノードのスイッチの方路を設定する（Ｓ１２２）。さらに、パス起動ノードに向けて監視光信号を送信する（Ｓ１２３）と共に、検査通知を送信する（Ｓ１２４）。パス起動ノードは、監視光信号を正常に検出しているなら（Ｓ１２５：ＯＫ／ＮＧ判定→ＯＫ）、中間ノードに向けて正常通知を送信する（Ｓ１２６）。中間ノードは、正常通知を受信すると、監視光信号を停止する（Ｓ１２７）。また、パスを構成するリンク毎に同様な処理を行う。すなわち、Ｓ１２１に続けて、パス終端ノードは、中間ノードを経由して光パス設定通知（Path）を受信すると、中間ノードとパス起動ノードとのやりとり（Ｓ１２２〜Ｓ１２７）と同様に、中間ノードとの間で導通試験を行う（Ｓ１２８〜Ｓ１３３）。パス終端ノードは、導通試験の結果、正常であれば、パス起動ノードに対して正常通知を送信する（Ｓ１３４）。パス起動ノードは、正常性検査の終了通知をパス終端ノードに対して送信する（Ｓ１３５）。これにより、上流方向の導通試験が終了する。なお、下流方向も同様な処理で導通試験を行う。
【特許文献１】特許第３９３８３１５号公報（図４、図１１）
【発明の開示】
【発明が解決しようとする課題】
【０００９】
しかしながら、図１３に示すような従来の導通確認方法では、光パスを設定するためのシグナリングがすべて終了してから導通試験を開始するため、導通確認を含めた光パス設定時間が長くなるという問題がある。
【００１０】
また、図１４に示す従来の導通確認方法では、例えば上流方向の導通試験ならば、設定されるパスのパス終端ノードを除くすべてのノードが導通確認を行う必要があるので、端点のノードだけが判定する場合に比べて判定時間が長くなり、結果として、導通確認を含めた光パス設定時間が長くなる。
【００１１】
このように光パス設定時間が長くなると、次のような問題が生じる。例えば、ＧＭＰＬＳ技術による光パス設定方式を用いたオンデマンドサービスにおいて秒オーダーの光パス設定時間を要求するアプリケーションにとっては、光パスの設定時間が長くなることはアプリケーションによるサービス開始が遅れることにつながるため、致命的である。そのため、光パスを設定する際に、高速に導通確認を行う方法が必要である。
【００１２】
そこで、本発明では、前記した問題を解決し、光ネットワークにおいて光パスの導通確認を高速に行うための技術を提供することを目的とする。
【課題を解決するための手段】
【００１３】
前記課題を解決するため、請求項１に記載の導通確認方法は、スイッチング部の光スイッチにより光パスの方路を切替えることで波長やＴＤＭのデータを転送する通信装置と、前記通信装置に前記データを受け渡すことでパケットを転送する機能を持つ信号送受信装置と、前記通信装置および前記信号送受信装置をそれぞれ示す複数のノード間に接続されて光信号を伝送するデータリンクと、前記ノード間に接続されて制御信号を伝送する制御リンクとを備え、前記光パスの始点ノードおよび終点ノードを示す２つの通信装置間において両ノード内の光源で発生させる試験用光信号を伝送することで当該光パスの導通確認を行う導通確認システムにおける導通確認方法であって、前記終点ノードが、前記光パスの始点向きの帯域リソースが確保された場合に前記始点ノードに向けて試験用光信号の送信を開始するステップを実行し、前記始点ノードが、前記試験用光信号の受信状況に基づいて前記光パスの始点向きの帯域リソースの導通が正常であるか否かを判別することで前記光パスの始点向きの導通確認を実行するステップと、前記光パスの始点向きの帯域リソースの導通が正常であると判別し、かつ、前記光パスの終点向きの帯域リソースが確保されている場合に、前記終点ノードに向けて試験用光信号の送信を開始するステップとを実行し、前記終点ノードが、前記始点ノードから送信される試験用光信号の受信状況に基づいて前記光パスの終点向きの帯域リソースの導通が正常であるか否かを判別することで、前記光パスの終点向きの導通確認を実行するステップと、前記光パスの終点向きの導通確認において導通が正常であると判別した場合、前記光パスの終点向きの導通が正常であることを示すメッセージを、前記始点ノードに対して送信するステップとを実行することを特徴とする。
【００１４】
かかる手順によれば、導通確認システムの導通確認方法では、光パスの確立と確立した光パスの導通試験とを並行して行う。この際に、まず、始点ノード向きの帯域が確保されているときに終点ノードが始点ノード向きの試験用光信号を送信する。そして、始点ノードが、光パスの始点向きの帯域リソースの導通が正常であると判別し、かつ、光パスの終点向きの帯域リソースが確保されている場合に、終点ノード向きの試験用光信号を送信する。つまり、光パスの一方向の帯域リソースが確保されると、その一方向の導通試験のために試験用光信号の送信が開始される。この一方向の導通試験が成功した後で、逆方向の帯域リソースが確保されている場合に、逆方向の導通試験のために試験用光信号の送信が開始されることになる。ここで、終点ノードが、終点ノード向きの試験用光信号の送信と、光パスの終点向きの帯域リソースを確保する処理とを並行して行ってもよいし、始点ノードが、光パスの始点向きの帯域リソースと終点向きの帯域リソースとを同時に確保する処理を行っておいてもよい。したがって、確立すべき光パスの片方向ずつ帯域リソースの確保とその導通試験とを単純に連続して実施する場合と比較して、高速に光パスの導通正常性を確認することが可能である。
【００１５】
また、請求項２に記載の導通確認方法は、請求項１に記載の導通確認方法において、前記始点ノードが、前記終点ノードが前記試験用光信号の送信を開始する前に、前記終点ノードまでパス確立要求を伝搬させることで前記光パスの少なくとも始点向きの帯域リソースを確保するステップをさらに実行し、前記終点ノードが、前記試験用光信号の送信と並行して前記ノードまでパス確立要求応答を伝搬させることで、前記光パスの始点向きの帯域リソースだけが確保されている場合、前記光パスの終点向きの帯域リソースを確保し、一方、前記光パスの双方向の帯域リソースが確保されている場合、前記試験用光信号を送信した旨を示す通知を送信するステップをさらに実行し、前記始点ノードおよび前記終点ノード間でシグナリングプロトコルをやりとりすることで前記光パスの帯域リソースを確保することを特徴とする。
【００１６】
かかる手順によれば、導通確認システムにおいて、始点ノードおよび終点ノードとして機能する各通信装置間でシグナリングプロトコルをやりとりすることで、光パスの確立とその導通試験とを自律的に実施することができる。したがって、ネットワークオペレータ等の人手を介さずに光パスを設定することが可能である。
【００１７】
また、請求項３に記載の導通確認方法は、請求項１または請求項２に記載の導通確認方法において、前記導通確認システムが、前記通信装置に前記制御リンクを介して接続されて前記通信装置を管理する制御装置をさらに備え、前記制御装置が、当該制御装置の操作者の操作にしたがって、前記始点ノードおよび前記終点ノード間でシグナリングプロトコルをやりとりすることで前記光パスの帯域リソースを確保する指示としてパス確立指示を送信するステップを実行することを特徴とする。
【００１８】
かかる手順によれば、ネットワークオペレータ等が光パスの確立とその導通試験とを監視しながら光パスを設定することが可能である。
【００１９】
また、請求項４に記載の導通確認方法は、請求項１ないし請求項３のいずれか一項に記載の導通確認方法において、前記始点ノードおよび前記終点ノードのいずれか一方のノードが、前記光パスの帯域リソースの導通が正常ではないと判別した場合に、その旨を示す正常性未確認通知を他方のノードに送信することを特徴とする。
【００２０】
かかる手順によれば、導通が正常ではないと判別した端点ノード以外の他のノードは、導通が正常ではなかったことを素早く認識し、正常な光パスを設定するための次の処理に短時間で移ることが可能である。
【００２１】
また、請求項５に記載の導通確認方法は、請求項１ないし請求項４のいずれか一項に記載の導通確認方法において、前記始点ノードおよび前記終点ノードのいずれか一方のノードは、他方のノードから受信した前記試験用光信号の強度が事前に定められた閾値以下である場合に、前記光パスの帯域リソースの導通が正常ではないと判別することを特徴とする。
【００２２】
かかる手順によれば、正常性未確認通知を受信する他方のノードは、伝送された光信号の品質が良くないことを認識し、正常な光パスを設定するための次の処理に短時間で移ることが可能である。
【００２３】
また、請求項６に記載の導通確認方法は、請求項１ないし請求項５のいずれか一項に記載の導通確認方法において、前記始点ノードが、前記試験用光信号の送信と並行して前記光パスの始点向きの導通が正常であることを示すメッセージを、前記終点ノードに対して送信するステップをさらに実行し、前記始点ノードおよび前記終点ノードのいずれか一方のノードは、他方のノードから、前記試験用光信号が到着する前に、前記導通が正常であることを示すメッセージが到着した場合に、前記光パスの帯域リソースの導通が正常ではないと判別することを特徴とする。
【００２４】
かかる手順によれば、試験用光信号が到着する前に、導通が正常であることを示すメッセージが到着したノードは、光パスの自ノード向きの帯域リソースの導通が正常ではないと判別することができる。したがって、このノードは、試験用光信号が到着するまで待機するために予め定めることのできる時間が経過するまで待つことなく導通が正常でなかったことを認識できる。これにより、正常な光パスを設定するための次の処理に短時間で移ることが可能である。
【００２５】
また、請求項７に記載の導通確認方法は、請求項６に記載の導通確認方法であって、前記始点ノードが、前記制御装置から前記パス確立指示が到着したことをトリガとして、前記スイッチング部の光スイッチの設定を導通試験用に設定することで前記試験用光信号の受信を準備するステップと、前記終点ノードから前記導通が正常であることを示すメッセージが到着したことをトリガとして、前記スイッチング部の光スイッチの設定を、前記データを転送するためのデータ入出力用に設定するステップとをさらに実行し、前記終点ノードが、前記始点ノードから前記パス確立要求が到着したことをトリガとして、前記スイッチング部の光スイッチの設定を導通試験用に設定することで前記試験用光信号の受信を準備するステップと、前記始点ノードから前記導通が正常であることを示すメッセージが到着したことをトリガとして、前記スイッチング部の光スイッチの設定を、前記データを転送するためのデータ入出力用に設定するステップとをさらに実行することを特徴とする。
【００２６】
かかる手順によれば、通信装置のスイッチング部の光スイッチの設定を変更するための専用の通知メッセージが不要であるため、通信装置は、メッセージを受け取るための負荷が減る。また、通信装置は、導通試験の成功の確認処理より、信号送受信装置から受け渡されるデータを転送するための処理へと素早く移行することが可能である。
【００２７】
また、請求項８に記載の導通確認方法は、請求項１ないし請求項６のいずれか一項に記載の導通確認方法であって、前記始点ノードおよび前記終点ノードは、双方が前記光パスの帯域リソースの導通が正常であると判別した後に、一方のノードが、ＢＥＲを測定するためのＢＥＲ測定用信号を他方のノードに送信するステップを実行し、他方のノードが、前記ＢＥＲ測定用信号を受信し、受信したＢＥＲ測定用信号からＢＥＲを測定するステップを実行する一連の処理を前記光パスの双方向において実行するＢＥＲ測定処理を行うことを特徴とする。
【００２８】
かかる構成によれば、導通確認システムでは、光パスの確立とその導通試験とを実施するだけではなくＢＥＲ測定処理を行うので、確立した光パスで伝送される信号の品質を測定することができる。したがって、事前に定められる信号品質の要求条件を満たさない光パスは使用せず、信号品質の要求条件を満たす光パスをユーザに提供することが可能である。
【００２９】
また、請求項９に記載の導通確認方法は、請求項８に記載の導通確認方法であって、前記始点ノードが、前記ＢＥＲ測定処理の前に、前記導通が正常であることを示すメッセージとして、導通試験に続けて前記光パスの両端点間で前記ＢＥＲ測定処理を行うことを示すメッセージを前記終点ノードに送信し、前記始点ノードおよび前記終点ノードが、前記ＢＥＲ測定処理前に、前記スイッチング部の光スイッチの設定を、導通試験用の設定からＢＥＲ測定用の設定に切り替え、前記ＢＥＲ測定処理後に、前記スイッチング部の光スイッチの設定を、前記ＢＥＲ測定用の設定から前記データを転送するためのデータ入出力用の設定に切り替えることを特徴とする。
【００３０】
かかる手順によれば、終点ノードは、導通が正常であることを示すメッセージとしてＢＥＲ測定処理を行うことを示すメッセージを受け取るので、ＢＥＲ測定処理を行うことに伴う余分な処理をすることなく、導通試験の処理からＢＥＲ測定処理に以降できる。そのため、導通試験の終了から短時間でＢＥＲ測定を開始することが可能となる。また、ＢＥＲの測定終了から短時間でデータを転送するための処理へと移行することが可能である。
【００３１】
また、請求項１０に記載の導通確認方法は、請求項１ないし請求項６のいずれか一項に記載の導通確認方法であって、前記終点ノードが、前記試験用光信号の送信を開始するステップにて、ＢＥＲを測定するためのＢＥＲ測定用信号として前記試験用光信号を送信し、前記始点ノードが、前記導通確認を実行するステップにて、前記終点ノードから送信される試験用光信号を受信して前記光パスの始点向きの帯域リソースの導通が正常であるか否かを判別すると共に、前記受信した試験用光信号からＢＥＲを測定し、さらに、前記試験用光信号の送信を開始するステップにて、ＢＥＲを測定するためのＢＥＲ測定用信号として前記試験用光信号を送信し、前記終点ノードが、前記導通確認を実行するステップにて、前記始点ノードから送信される試験用光信号を受信して前記光パスの終点向きの帯域リソースの導通が正常であるか否かを判別すると共に、前記受信した試験用光信号からＢＥＲを測定することを特徴とする。
【００３２】
かかる手順によれば、導通試験とＢＥＲ測定とを行う際に、ＢＥＲ測定を兼ねて導通試験を実施するので、導通試験とＢＥＲ測定とを個別に実施する場合よりも短時間で終了することが可能である。したがって、信号品質の要求条件を満たす光パスをユーザに素早く提供することが可能である。
【００３３】
また、請求項１１に記載の導通確認プログラムは、請求項１ないし請求項１０のいずれか一項に記載の導通確認方法を、前記始点ノードとして機能する通信装置のコンピュータに実行させるためのプログラムである。このように構成されることにより、このプログラムをインストールされたコンピュータは、このプログラムに基づいた各機能を実現することができる。
【００３４】
また、請求項１２に記載の導通確認プログラムは、請求項１ないし請求項１０のいずれか一項に記載の導通確認方法を、前記終点ノードとして機能する通信装置のコンピュータに実行させるためのプログラムである。このように構成されることにより、このプログラムをインストールされたコンピュータは、このプログラムに基づいた各機能を実現することができる。
【００３５】
また、請求項１３に記載の通信装置は、光パスの方路を切替えることで波長やＴＤＭのデータを転送する通信装置と、前記通信装置に前記データを受け渡すことでパケットを転送する機能を持つ信号送受信装置と、前記通信装置および前記信号送受信装置をそれぞれ示す複数のノード間に接続されて光信号を伝送するデータリンクと、前記ノード間に接続されて制御信号を伝送する制御リンクとを備え、前記光パスの始点ノードおよび終点ノードを示す２つの通信装置間において両ノード内の光源で発生させる試験用光信号を伝送することで当該光パスの導通確認を行う導通確認システムにおける前記始点ノードとして機能する通信装置であって、前記光パスの方路を切替える光スイッチを有するスイッチング部と、前記終点ノードから送信される、試験用光信号の受信状況に基づいて前記光パスの始点向きの帯域リソースの導通が正常であるか否かを判別することで前記光パスの始点向きの導通確認を実行し、前記光パスの始点向きの帯域リソースの導通が正常であると判別し、かつ、前記光パスの終点向きの帯域リソースが確保されている場合に、前記終点ノードに向けて試験用光信号の送信を開始する導通確認手段と、前記終点ノードから、前記光パスの終点向きの導通が正常であることを示すメッセージを前記制御リンクを介して受信することで、前記光パスの終点向きにおいて導通が正常であると判別するシグナリングメッセージ制御手段と、前記導通が正常であることを示すメッセージを受信した場合に、前記信号送受信装置から受け渡される前記データを入出力できるように前記スイッチング部の光スイッチを制御するスイッチング制御手段とを備えることを特徴とする。
【００３６】
かかる構成によれば、通信装置は、光パスの始点向きの帯域リソースの導通が正常であると判別し、かつ、光パスの終点向きの帯域リソースが確保されている場合に、終点ノードに向けて試験用光信号の送信を開始する。つまり、光パスの始点ノード向きの導通試験が成功した後で、逆方向の帯域リソースが確保されている場合に、逆方向の導通試験のために試験用光信号の送信が開始されることになる。したがって、この場合、例えば、始点ノード向きの導通試験と、その後に導通試験を行う終点ノード向きのパス確立とを並行して行うことができる。そのため、始点ノード向きの導通試験の後に、終点ノード向きのパス確立が行われる場合と比較して、高速に光パスの導通正常性を確認することが可能となる。
【００３７】
また、請求項１４に記載の通信装置は、光パスの方路を切替えることで波長やＴＤＭのデータを転送する通信装置と、前記通信装置に前記データを受け渡すことでパケットを転送する機能を持つ信号送受信装置と、前記通信装置および前記信号送受信装置をそれぞれ示す複数のノード間に接続されて光信号を伝送するデータリンクと、前記ノード間に接続されて制御信号を伝送する制御リンクとを備え、前記光パスの始点ノードおよび終点ノードを示す２つの通信装置間において両ノード内の光源で発生させる試験用光信号を伝送することで当該光パスの導通確認を行う導通確認システムにおける前記終点ノードとして機能する通信装置であって、前記光パスの方路を切替える光スイッチを有するスイッチング部と、前記光パスの始点向きの帯域リソースが確保された場合に前記始点ノードに向けて試験用光信号の送信を開始し、当該終点ノードよりも後から試験用光信号の送信を開始した前記始点ノードから送信される試験用光信号の受信状況に基づいて前記光パスの終点向きの帯域リソースの導通が正常であるか否かを判別することで、前記光パスの終点向きの導通確認を実行する導通確認手段と、前記光パスの終点向きの導通確認において導通が正常であると判別した場合、前記光パスの終点向きの導通が正常であることを示すメッセージを、前記始点ノードに対して前記制御リンクを介して送信するシグナリングメッセージ制御手段と、前記導通が正常であると判別した場合、前記信号送受信装置から受け渡される前記データを入出力できるように前記スイッチング部の光スイッチを制御するスイッチング制御手段とを備えることを特徴とする。
【００３８】
かかる構成によれば、通信装置は、試験用光信号の送信を開始し、その後、始点ノードから送信される試験用光信号を受信して導通が正常であると判別した場合に、その旨を示すメッセージを始点ノードに送信する。つまり、終点ノードが試験用光信号を受信するということは、それ以前に、光パスの始点ノード向きの帯域リソースが確保され、この始点ノード向きの導通試験が成功した後で、終点ノード向きの導通試験のために試験用光信号の送信が開始されたことを意味する。したがって、この場合、例えば、始点ノード向きの導通試験と、その後に導通試験を行う終点ノード向きのパス確立とを並行して行うことができる。そのため、始点ノード向きの導通試験の後に、終点ノード向きのパス確立が行われる場合と比較して、高速に光パスの導通正常性を確認することが可能となる。
【００３９】
また、請求項１５に記載の導通確認システムは、光パスの方路を切替えることで波長やＴＤＭのデータを転送する通信装置と、前記通信装置に前記データを受け渡すことでパケットを転送する機能を持つ信号送受信装置と、前記通信装置および前記信号送受信装置をそれぞれ示す複数のノード間に接続されて光信号を伝送するデータリンクと、前記ノード間に接続されて制御信号を伝送する制御リンクとを備え、前記光パスの始点ノードおよび終点ノードを示す２つの通信装置間において両ノード内の光源で発生させる試験用光信号を伝送することで当該光パスの導通確認を行う導通確認システムであって、請求項１３に記載の通信装置を前記始点ノードとして備えると共に、請求項１４に記載の通信装置を前記終点ノードとして備えることを特徴とする。
【００４０】
かかる構成によれば、始点ノード向きの導通試験と、その後に導通試験を行う終点ノード向きのパス確立とを並行して行うことができるので、始点ノード向きの導通試験の後に、終点ノード向きのパス確立が行われる場合と比較して、高速に光パスの導通正常性を確認することが可能となる。
【発明の効果】
【００４１】
本発明によれば、光ネットワークにおいて光パスの導通確認を高速に行うことができる。
【発明を実施するための最良の形態】
【００４２】
以下、図面を参照して本発明の導通確認システムおよび通信装置を実施するための最良の形態（以下「実施形態」という）について詳細に説明する。
【００４３】
（第１実施形態）
［導通確認システムの概要］
図１は、本発明の実施形態に係る導通確認システムの概要を示す説明図であって、（ａ）は全体構成の一例、（ｂ）は設定されるパスの一例をそれぞれ示している。図１（ａ）に示すように、導通確認システム１は、リンクで接続された複数のノードとして、通信装置２（２ａ，２ｂ，２ｃ，２ｄ）と、信号送受信装置３（３ａ，３ｂ，３ｃ）とを有するネットワークＮＷを備えている。このネットワークＮＷは、例えば通信事業者（キャリア）によって、運用される。なお、図１において、ノードの個数は特に限定されるものではない。
【００４４】
通信装置２は、光パス（以下、単にパスともいう）の方路を切替えることで、波長やＴＤＭ（time division multiplexing）のデータを転送するものであり、例えば、光パスの確立が可能なレイヤ１装置やスイッチング機能を有する光クロスコネクト（ＯＸＣ：Optical Cross Connect）装置で構成される。
信号送受信装置３は、通信装置２にデータを受け渡すことでパケットを転送する機能を持つものであり、例えば、ルータ装置である。
【００４５】
ネットワークＮＷの各ノード間には、図１（ｂ）に示すように、光信号を伝送するデータリンク５と、制御信号を伝送する制御リンク６とが接続されている。以下では、図１（ｂ）に示す通信装置２ａを始点ノード、通信装置２ｂを中継ノード、通信装置２ｃを終点ノードとする１つの光パスを一例として説明する。
【００４６】
導通確認システム１は、光パスの始点ノードおよび終点ノードを示す２つの通信装置（２ａ，２ｃ）間において両ノード内の光源で発生させるテスト光（試験用光信号）を伝送することで当該光パスの導通確認を行う。そして、正常に光パスが確立されると、光信号を送受信できる信号送受信装置３の間でデータ（光信号）が伝送される。なお、データリンク５の本数は、任意の本数に設定することができる。
【００４７】
本実施形態では、導通確認システム１は、図１（ａ）に示すように、制御サーバ（制御装置）４をさらに備えることとした。
制御サーバ４は、ネットワークＮＷの各ノードを制御するものである。制御サーバ４と、ネットワークＮＷの各ノードとは、制御リンク６を介して双方向に制御信号をやりとりすることができる。制御サーバ４は、導通確認システム１の外部から、光パス設定のリクエストを受け付ける機能を有し、光パス設定のリクエストが来ると、そのリクエストに対して適切なパスを張るために経路計算を行い、通信装置２等に対してパス確立要求（パス設定要求）を行う。
【００４８】
本実施形態においては、パス設定要求を受けた通信装置２が、パス確立シグナリングを通信装置２間で流すことで、パスの確立を行うことと並行して導通確認のための試験を行うこととした。また、ノード間でやり取りされるシグナリングプロトコルはＲＳＶＰ（ReSerVation Protoco1）を想定し、ＲＳＶＰや制御用メッセージは、制御用メッセージ専用の回線（制御リンク６）でやりとりされ、導通確認用のテスト光は、実際に光信号が流れる回線（データリンク５）でやりとりされるものとする。
【００４９】
［通信装置の構成］
図２は、本発明の実施形態に係る通信装置の構成の一例を示す機能ブロック図である。
通信装置２は、例えば、ＣＰＵ（Central Processing Unit）等の演算装置と、メモリ、ハードディスク等の記憶装置と、リンクを介して通信を行うためのＮＩＣ（Network Interface Card）と、リンクを介して光信号や制御信号の送受信を行うインターフェースと、プログラムと、テスト光を照射するための光源と、テスト光を受信するための受信器（受光手段）とから構成されている。この通信装置２は、ハードウェア装置とソフトウェアとが協働して前記したハードウェア資源がプログラムによって制御されることにより実現され、図２に示すように、入出力部１０と、スイッチング部２０と、記憶部３０と、制御部４０と、導通確認部５０とを備えている。
【００５０】
なお、以下の説明では、始点ノードおよび終点ノードとして機能する通信装置２が、図２に示す構成をすべて備え、中継ノードとして機能する通信装置２は、導通確認部５０を備えていないものとする。また、始点ノードおよび終点ノードとして固有の機能を説明するが、双方の機能を備えるようにしてもよいことはもちろんである。つまり、始点ノードとして説明する通信装置２が、場合によっては、終点ノードとして機能できるように構成されていてもよい。
【００５１】
入出力部１０は、通信装置２を通過する光信号が入力される際のインターフェース（入力インターフェース）と、出力される際のインターフェース（出力インターフェース）を備えている。この入出力部１０は、外部から、入力インターフェースに入力された光信号（データ、試験用光信号）をスイッチング部２０に入れて、スイッチング部２０で適切にスイッチングされた後、出力インターフェースから光信号（データ、試験用光信号）を外部へ出力する。
【００５２】
入出力部１０は、制御サーバ４と通信可能なインターフェースとして、サーバ用ポート１１を備えている。また、入出力部１０は、入力インターフェースとして、パス確立用ポート１２ａと、データ入出力用ポート１３ａとを備え、出力インターフェースとして、パス確立用ポート１２ｂと、データ入出力用ポート１３ｂとを備えている。
パス確立用ポート１２ａ，１２ｂは、パス確立時に光信号（テスト光）や制御信号をやりとりするためのインターフェースである。
データ入出力用ポート１３ａ，１３ｂは、導通試験後に、データ（光信号）をパケットとして転送するために使用されるインターフェースである。なお、これらの各ポートの個数は任意に設定することができる。
【００５３】
サーバ用ポート１１には、マネジメントプレーン（Management-plane）を構成する制御リンク６としてのケーブル（通信線）が接続される。
制御信号をやりとりするためのインターフェースには、制御プレーン（C-plane）のための制御リンク６としてのケーブル（通信線）が接続される。
光信号（テスト光、データ）をやりとりするためのインターフェースには、データプレーン（Ｄ−plane）のためのデータリンク５としての光ファイバケーブルが接続される。
【００５４】
スイッチング部２０は、光パスの方路を切替える光スイッチ（以下、スイッチＳＷという）を有し、入出力部１０の入力インターフェースに到着した光信号を、適切な出力インターフェースにスイッチングするものである。スイッチング部２０が、制御部４０の制御によりスイッチＳＷを切り替えることで、例えばパス確立用ポート１２ａ側から、データ入出力用ポート１３ａ側へと通信装置２内の接続が切り替わり、入力インターフェースに接続された外部のリンク接続先が切り替わることになる。このスイッチング部２０は、例えば、ＭＥＭＳやＴＯスイッチなどで構成される。
【００５５】
記憶部３０は、この通信装置２の各機能を実現するプログラムと、制御部４０が参照する各種データ（例えば、インターフェース情報３１、光パス情報３２などの情報）とを記憶する。この記憶部３０は、ＲＡＭ（Random Access Memory）、フラッシュメモリ、ＨＤＤ（Hard Disk Drive）などの記憶装置により実現される。
【００５６】
図３は、図２に示す通信装置が記憶するインターフェース情報の一例を示す図である。
インターフェース情報３１には、入力インターフェースおよび出力インターフェースについて、ＩＤ（インターフェースＩＤ）と、アドレスと、対向ノード（隣り合ったノード）のＩＤ（対向ノードＩＤ）、対向ノードのインターフェースのアドレス（対向ノードＩＦアドレス）、波長などの情報が含まれる。アドレスは、例えば、ＩＰアドレスなどを表す。波長は、各々のインターフェースがサポートする波長を表す。これらの情報は、手動で設定されるか、プロトコルで収集されるものとする。このインターフェース情報３１は、制御部４０がスイッチング部２０を制御する際に参照される。なお、通信装置２は、周期的に、または、導通確認の処理を開始する前に、インターフェース情報３１を最新の情報に書き換えておくものとする。
【００５７】
図４は、図２に示す通信装置が記憶する光パス情報の一例を示す図である。光パス情報３２には、光パスのＩＤ（パスＩＤ）と、入力インターフェースＩＤと、出力インターフェースＩＤと、パスの状態などが含まれる。この光パス情報３２は、制御部４０が光パスの管理を行う際に参照される。
【００５８】
制御部４０は、スイッチング部２０を介して入出力部１０の入出力インターフェースに接続可能であり、他のノードや制御サーバ４との間で通信を行う機能を有すると共に、ＣＰＵなどが記憶部３０に記憶された所定のプログラムを実行することで実現される機能として、図２に示すように、スイッチング制御手段４１と、シグナリングメッセージ制御手段４２とを備えている。
【００５９】
スイッチング制御手段４１は、スイッチング部２０で光信号を入力インターフェースから適切な出力インターフェースにスイッチングするためのスイッチの方略の制御を行うものである。スイッチング制御手段４１は、パケットとして転送される光信号（データ）をスイッチングする機能と、試験用光信号をスイッチングする機能とを兼務している。このスイッチング制御手段４１が、どの出力インターフェースにスイッチングすべきであるのかということは、記憶部３０の情報を参照することで決定する。なお、通信装置２の外部から設定を行うなどして決定することも可能である。
【００６０】
スイッチング制御手段４１は、始点ノードとして機能するときには、終点ノードから、導通が正常であることを示すメッセージを受信した場合に、信号送受信装置３から受け渡されるデータを入出力できるようにスイッチング部２０のスイッチＳＷを制御する。
【００６１】
スイッチング制御手段４１は、終点ノードとして機能するときには、導通確認部５０が導通が正常であると判別した場合、信号送受信装置３から受け渡されるデータを入出力できるようにスイッチング部２０のスイッチＳＷを制御する。
【００６２】
シグナリングメッセージ制御手段４２は、パス確立のためのシグナリングメッセージや導通確認用メッセージの処理を実施するものである。シグナリングメッセージ制御手段４２は、導通確認部５０、スイッチング部２０および入出力部１０を介して外部から入力されるメッセージを処理したり、処理したメッセージを導通確認部５０等を介して外部へ出力したりする。
【００６３】
シグナリングメッセージ制御手段４２は、始点ノードとして機能するときには、終点ノードから、光パスの終点向きの導通が正常であることを示すメッセージを制御リンク６を介して受信することで、光パスの終点向きにおいて導通が正常であると判別する。本実施形態では、一例として、シグナリングメッセージ制御手段４２は、始点ノードとして機能するときには、テスト光の送信中に、終点ノードからメッセージを受信することとした。
【００６４】
シグナリングメッセージ制御手段４２は、終点ノードとして機能するときには、導通確認部５０が光パスの終点向きの導通確認において導通が正常であると判別した場合、光パスの終点向きの導通が正常であることを示すメッセージを、始点ノードに対して制御リンク６を介して送信する。
【００６５】
導通確認部５０は、スイッチング部２０を介して入出力部１０の入出力インターフェースに接続可能であり、他のノードや制御サーバ４との間で通信を行う機能を有すると共に、図示は省略するが、テスト光を照射するための光源と、テスト光を受信するための受信器（受光手段）と、この受信器から出力される信号によりテスト光の強度を測定して導通確認を行う処理を実行するための処理部とを備えている。
【００６６】
この導通確認部５０の図示しない処理部は、ＣＰＵなどが記憶部３０に記憶された所定のプログラムを実行することで実現され、シグナリングメッセージ制御手段４２が光パスを設定する際に、光パスの正常性を確認するためにテスト光を対向ノードに送信する制御や、対向ノードからのテスト光を受信して導通の正常性を確認する制御を行う。
【００６７】
導通確認部５０は、始点ノードとして機能するときには、終点ノードから送信される、テスト光の受信状況に基づいて光パスの始点向きの帯域リソースの導通が正常であるか否かを判別することで光パスの始点向きの導通確認を実行する。また、光パスの始点向きの帯域リソースの導通が正常であると判別し、かつ、光パスの終点向きの帯域リソースが確保されている場合に、終点ノードに向けてテスト光の送信を開始する。本実施形態では、一例として、導通確認部５０は、始点ノードとして機能するときには、テスト光の受信中に、終点ノードに向けてテスト光の送信を開始することとした。
【００６８】
導通確認部５０は、終点ノードとして機能するときには、光パスの始点向きの帯域リソースが確保された場合に始点ノードに向けてテスト光の送信を開始する。また、終点ノードよりも後からテスト光の送信を開始した始点ノードから送信されるテスト光の受信状況に基づいて光パスの終点向きの帯域リソースの導通が正常であるか否かを判別することで、光パスの終点向きの導通確認を実行する。本実施形態では、一例として、導通確認部５０は、終点ノードとして機能するときには、テスト光の送信中に、光パスの終点向きの導通確認を実行することとした。
【００６９】
本実施形態では、導通確認部５０は、受信したテスト光の強度（パワー）が事前に定められた閾値以上である場合に、導通が正常に行われた（導通ＯＫ）と判定する。
また、導通確認部５０は、データリンク５からテスト光が未受信のときに、制御リンク６からテスト光を送信したことを示す通知が到着した場合に、導通が正常ではない（導通ＮＧ）と判定する。また、導通確認部５０は、テスト光を受信したにも関わらず、テスト光のパワーが事前に定められていた閾値よりも小さい場合にも、導通が正常ではないと判定する。
【００７０】
［制御サーバの構成］
図５は、図１に示す制御サーバの構成の一例を示すブロック図である。制御サーバ４は、図５に示すように、入出力部６０と、送受信部７０と、記憶部８０と、制御部９０とを備えている。入出力部６０は、ネットワークＮＷ（図１参照）の各ノードと通信可能な入出力インターフェースである。送受信部７０は、ネットワークＮＷ（図１参照）の各ノードとの間で各種メッセージ等の制御信号をやりとりする通信装置である。また、送受信部７０は、入出力部６０を介して、導通確認システム１の外部の装置等から、パス（例えばパスＡ）の確立要求（光パス設定リクエスト）を受信する。このパス確立要求には、パスＡの端点やパスＡが必要とする帯域などのパス確立に必要な情報が含まれている。
【００７１】
記憶部８０は、ＲＡＭやＨＤＤなどの記憶装置により実現され、この制御サーバ４の各機能を実現するプログラムと、制御部９０が参照する各種データ（例えば、インターフェース情報８１と、光パス情報８２などの情報）とを記憶する。記憶部８０に記憶されたインターフェース情報８１および光パス情報８２は、例えば、図３および図４に例示したノード個別の情報をノード別に集積した情報である。
【００７２】
制御部９０は、ＣＰＵなどが記憶部３０に記憶された所定のプログラムを実行することで実現される機能として、図５に示すように、経路計算手段９１と、ノード制御手段９２とを備えている。経路計算手段９１は、送受信部７０で受信する光パス設定リクエストをトリガとして、そのリクエストに対して適切なパスを張るために経路計算を行い、算出した経路をノード制御手段９２に出力する。
【００７３】
ノード制御手段９２は、経路計算手段９１で算出された経路にパスを確立するように、通信装置２などのノードに対してパス確立指示を行うものである。このパス確立指示には、パスの確立要求（光パス設定リクエスト）でリクエストされたパス（例えばパスＡ）が経由するノードのノードアドレスや、そのパスＡの帯域などが含まれる。
また、ノード制御手段９２は、各ノードから導通試験の成否を受け付け、導通ＮＧを受け付けた場合、経路計算手段９１に対して経路の再計算を指示する。
【００７４】
本実施形態では、ノード制御手段９２は、制御サーバ４の操作者の操作にしたがって、始点ノードおよび終点ノード間でシグナリングプロトコルをやりとりすることで光パスの帯域リソースを確保する指示としてパス確立指示を送信する。
【００７５】
［導通確認システムの動作］
次に、図６ないし図８を参照（適宜図１、図２および図５参照）して、導通確認システム１の導通確認の処理手順を説明する。図６は、双方向ともに導通の正常性が確認できた場合の処理の流れを示すシーケンス図であり、図７および図８は、いずれか一方の導通の正常性が確認できない場合の処理の流れを示すシーケンス図である。
【００７６】
［双方向とも導通の正常性が確認できた場合の処理の流れ]
まず、図６を参照して、双方向とも導通の正常性が確認できた場合の処理の流れを詳細に説明する。制御サーバ４は、入出力部６０を経由して、導通確認システム１の外部の装置等から、例えば図１（ｂ）で示すパス（パスＡとする）の確立要求を受信すると、それをトリガにして、パスＡの経路を算出し（ステップＳ１）、パスＡの始点ノード（通信装置）２ａに対して、制御リンク６を介してパス確立指示を出す（ステップＳ２）。
【００７７】
制御サーバ４からパス確立指示を受け取った始点ノード２ａは、制御部４０のシグナリングメッセージ制御手段４２によって、シグナリングプロトコルメッセージを送信することでパス確立処理を行う。始点ノード２ａは、制御リンク６から、例えば、シグナリングプロトコルのRSVP Path Messageを、中継ノード（通信装置）２ｂを介して終点ノード（通信装置）２ｃに送信する。RSVP Path Messageを用いることで、パスＡ用に、終点ノード２ｃから始点ノード２ａ向き（上流方向）の帯域リソースが確保される（ステップＳ３）。
【００７８】
また、始点ノード２ａは、RSVP Path Messageを送信する処理と並行して、制御サーバ４からパス確立指示として受け取ったパスＡの情報を記憶部３０のインターフェース情報３１や光パス情報３２に格納する。そして、始点ノード２ａは、RSVP Path Messageを送信した後に、導通確認部５０によって、導通確認のためにテスト光受信準備を行う（ステップＳ４）。このとき、始点ノード２ａは、スイッチング部２０のスイッチＳＷの設定を導通試験用に設定する。
【００７９】
一方、始点ノード２ａから送信されたRSVP Path Messageが終点ノード２ｃに届くと、終点ノード２ｃから始点ノード２ａ向き（上流方向）のパスＡの帯域リソースが確保されるので、終点ノード２ｃは、導通確認部５０によって、データリンク５を介して導通確認のために上流方向にテスト光の送信を開始する（ステップＳ５）。
【００８０】
テスト光を送信した終点ノード２ｃは、パスＡ用の始点ノード２ａから終点ノード２ｃ向き（下流方向）の帯域リソースを確保するために、制御部４０のシグナリングメッセージ制御手段４２によって、RSVP Resv Messageを制御リンク６を介して送信する（ステップＳ５ａ）。この処理は、終点ノード２ｃが送信したテスト光が始点ノード２ａに到着したことを確認せずに、テスト光の送信と並行して実施する。RSVP Resv Messageの送信に続けて、終点ノード２ｃは、導通確認部５０によって、始点ノード２ａから送信されるテスト光を受信するための準備をする（ステップＳ７）。このとき、終点ノード２ｃは、スイッチング部２０のスイッチＳＷの設定を導通試験用に設定する。
【００８１】
終点ノード２ｃからのテスト光を受け取った始点ノード２ａは、導通確認部５０によって、導通が正常に行われたか否かを判定する（ステップＳ６）。始点ノード２ａは、導通が正常であると判定した場合（ステップＳ６：ＯＫ）、導通確認部５０によって、終点ノード２ｃに向かって（下流方向に）導通確認のためのテスト光をデータリンク５を介して送信する（ステップＳ８）。
【００８２】
そして、始点ノード２ａは、テスト光を送信した後に、制御部４０のシグナリングメッセージ制御手段４２によって、テスト光を送信したことを通知するメッセージ（テスト光送信通知メッセージ）を終点ノード２ｃに対して制御リンク６を介して送信する（ステップＳ８ａ）。このテスト光送信通知メッセージは、光パスの始点向きの導通が正常であることを示すメッセージを兼ねている。それは、このテスト光送信通知メッセージを送信しておくと、後記するように、終点ノード２ｃが何らかの原因でテスト光を受信できないままテスト光送信通知メッセージを受け取った場合に、テスト光の受信に失敗したことを認識することが可能となるからである。なお、テスト光送信通知メッセージは、シグナリングプロトコルのメッセージに限らずに、他のプロトコルのメッセージであってもよい。
【００８３】
ステップＳ８に続いて、終点ノード２ｃは、始点ノード２ａからのテスト光を受け取ると、導通が正常に行われたか否かを判定する（ステップＳ９）。終点ノード２ｃは、導通が正常であると判定した場合（ステップＳ９：ＯＫ）、導通確認部５０によって、始点ノード２ａ向けに送信していたテスト光の送信を終了し、スイッチング制御手段４１によって、スイッチング部２０のスイッチＳＷをデータ入出力用の設定に切り替える（ステップＳ１０）。つまり、データリンク５において上流方向に流していたテスト光の送信が停止されたので、そのデータリンク５でパケットを送受信するための準備を行う。
【００８４】
そして、終点ノード２ｃは、制御部４０のシグナリングメッセージ制御手段４２によって、スイッチング部２０をデータ入出力用の設定に切り替えたことを通知するメッセージ（スイッチ設定完了通知メッセージ）を制御リンク６を介して始点ノード２ａに送信する（ステップＳ１１）。このスイッチ設定完了通知メッセージは、光パスの終点向きの導通が正常であることを示すメッセージを兼ねている。なお、スイッチ設定完了通知メッセージは、シグナリングプロトコルのメッセージに限らずに、他のプロトコルのメッセージであってもよい。
【００８５】
次に、始点ノード２ａは、スイッチ設定完了通知メッセージを受け取ると、導通確認部５０によって、始点ノード２ａから終点ノード２ｃ向き（下流方向）の導通も正常であると判定し（ステップＳ１２）、終点ノード２ｃ向き（下流方向）に送信していたテスト光の送信を終了し、スイッチング制御手段４１によって、スイッチング部２０のスイッチＳＷをデータ入出力用の設定に切り替える（ステップＳ１３）。つまり、データリンク５において下流方向に流していたテスト光の送信が停止されたので、そのデータリンク５でパケットを送受信するための準備を行う。
【００８６】
続いて、始点ノード２ａは、制御部４０のシグナリングメッセージ制御手段４２によって、導通確認（疎通確認）が双方向とも正常であったことを示すメッセージ（導通ＯＫ通知）を制御サーバ４に制御リンク６を介して送信する（ステップＳ１４）。これにより、始点ノード２ａから終点ノード２ｃに対してデータ（光信号）が送信されることになる（ステップＳ１５）。
【００８７】
［始点ノードが導通の正常性を確認できない場合の処理の流れ]
次に、図７を参照して、始点ノードが導通の正常性を確認できない場合の処理の流れを説明する。なお、図６と同様な処理には同じ符号を付して重複する説明を省略すると共に、適宜簡略化して説明する。図７に示すステップＳ１〜ステップＳ５、Ｓ５ａ、Ｓ７の各処理は同様である。ただし、ステップＳ５において、終点ノード２ｃが送信したテスト光が、何らかの理由で始点ノード２ａに届かず（ステップＳ２１：途絶）、かつ、終点ノード２ｃがステップＳ５ａにてパスＡ用の下流方向の帯域リソースを確保するために送信したRSVP Resv Messageは到達したものとする。この場合、始点ノード２ａは、導通確認部５０によって、導通が正常には行われなかったと判定する（ステップＳ２２：ＯＫ／ＮＧ判定→ＮＧ）。なお、仮に、テスト光を受信したにも関わらず、事前に決めていた閾値よりテスト光のパワーが小さい場合にも、始点ノード２ａは、導通が正常ではないと判定する。
【００８８】
そして、始点ノード２ａは、導通確認部５０によって、終点ノード２ｃからテスト光を受信するための準備を解除し（ステップＳ２３）、シグナリングメッセージ制御手段４２によって、導通の正常性が確認できなかったことを通知するメッセージ（導通ＮＧ通知）を制御サーバ４に対して送信する（ステップＳ２４）。これにより、制御サーバ４は、パスＡ用の別の経路を探すために再計算を行い（ステップＳ２５）、ステップＳ２に戻る。
【００８９】
そして、始点ノード２ａは、RSVPパス解除メッセージ（正常性未確認通知）を中継ノード２ｂを介して終点ノード２ｃに対して送信する（ステップＳ２６）。このRSVPパス解除メッセージは、光パスの帯域リソースの導通が正常ではない旨を示すメッセージである。このメッセージにより、シグナリングプロトコルで既に確保してあるパスＡ用の帯域リソースを解放することができる。そして、パス解除メッセージを受信した終点ノード２ｃは、導通の正常性が確認できなかったこと（導通ＮＧ）を認識し（ステップＳ２７）、制御部４０によって、パスＡ用の帯域リソースを解放するためにRSVPパス解除メッセージを送信する（ステップＳ２８）。そして、終点ノード２ｃは、導通確認部５０によって、始点ノード２ａ向きの（上流方向）のテスト光の送信を終了し、始点ノード２ａからのテスト光を受信する準備を解除する（ステップＳ２９）。
【００９０】
［終点ノードが導通の正常性を確認できない場合の処理の流れ]
次に、図８を参照して、終点ノードが導通の正常性を確認できない場合の処理の流れを説明する。なお、図６と同様な処理には同じ符号を付して重複する説明を省略すると共に、適宜簡略化して説明する。図８に示すステップＳ１〜ステップＳ８、Ｓ８ａの各処理は同様である。ただし、ステップＳ８において、始点ノード２ａが送信したテスト光が、何らかの理由で終点ノード２ｃに届かず（ステップＳ３１：途絶）、かつ、始点ノード２ａがステップＳ８ａにて送信したテスト光送信通知メッセージは到達したものとする。この場合、終点ノード２ｃは、導通確認部５０によって、導通が正常には行われなかったと判定する（ステップＳ３２：ＯＫ／ＮＧ判定→ＮＧ）。なお、仮に、テスト光を受信したにも関わらず、事前に決めていた閾値よりテスト光のパワーが小さい場合にも、終点ノード２ｃは、導通が正常ではないと判定する。そして、終点ノード２ｃは、導通確認部５０によって、始点ノード２ａ向きの（上流方向）のテスト光の送信を終了し、始点ノード２ａからのテスト光を受信する準備を解除する（ステップＳ３３）。
【００９１】
以降のステップＳ３４〜ステップＳ３９の各処理は、図７のステップＳ２４〜ステップＳ２９の各処理について、始点と終点とを読み替えた処理なので、説明を省略する。ただし、ステップＳ３８では、始点ノード２ａは、テスト光を受信済みなので受信解除準備を行うことはしない。
【００９２】
第１実施形態によれば、終点ノード（通信装置）２ｃは、光パスの始点ノード向きにテスト光を送信する導通試験の最中に、その後の終点ノード向きの導通試験に対応した終点ノード向き（逆方向）の帯域リソースを確保するためのシグナリングを並行して行う。したがって、始点ノード向きの導通試験の後に、終点ノード向きのパス確立が行われる場合と比較して、高速に光パスの導通正常性を確認することが可能となる。
【００９３】
また、通信装置２は、導通が正常でなかった場合に、迅速に制御サーバ４に通知することで再計算されたパスを確立し、双方向の導通が正常である場合には、その旨を示すメッセージが到着したことをトリガとしてスイッチＳＷをデータ入出力用に設定するので、導通試験処理からデータを転送するための処理へと素早く移行することができる。
【００９４】
（第２実施形態）
図９は、本発明の他の実施形態に係る通信装置の構成の一例を示すブロック図である。
第２実施形態の導通システムは、図９に示す通信装置２ＡがＢＥＲ測定機能部１００を備えると共に、入出力部１０にＢＥＲ測定用ポート１４ａ，１４ｂをさらに備える構成である点を除いて、第１実施形態と同様である。以下では、第１実施形態と異なる機能および動作を説明し、第１実施形態と同じ構成の説明および図面を省略し、同じ構成には同一の符号を付与する。
【００９５】
第２実施形態では、始点ノードおよび終点ノードとして機能する通信装置２Ａが、ＢＥＲ測定機能部１００を備えているものとする。また、ＢＥＲ測定機能部１００は、測定側としての機能と、被測定側としての機能とを有しており、それらを個別に説明するが、双方の機能を備えているものとする。
【００９６】
ＢＥＲ測定機能部１００は、スイッチング部２０を介して入出力部１０の入出力インターフェースに接続可能であり、図示は省略するが、ＢＥＲ測定用信号を照射するための光源と、ＢＥＲ測定用信号を受信するための受信器（受光手段）と、ＢＥＲ測定器とを備えている。なお、ＢＥＲ測定用信号を導通確認部５０の図示しない光源から発生されるテスト光（試験用光信号）で兼ねると共に、ＢＥＲ測定用信号を受信する受信器（受光手段）として、導通確認部５０の図示しない受信器（受光手段）を用いる構成としてもよい。
【００９７】
ＢＥＲ測定機能部１００は、測定側の機能として、ＢＥＲ（bit error rate）を測定するためのＢＥＲ測定用信号を、データリンク５から他方の端点ノードに送信する。ＢＥＲの測定側のノードは、ＢＥＲ測定用信号の送信を実際に行う前に、スイッチング制御手段４１によって、スイッチング部２０をＢＥＲ用に設定する。例えば、終点ノード２ｃがスイッチング部２０をＢＥＲ用に設定するとは、終点ノード２ｃのＢＥＲ測定機能部１００から出されるＢＥＲ測定用信号が始点ノード２ａに向かって送信されるように設定することを意味する。これにより、出力インターフェースのＢＥＲ測定用ポート１４ｂを介してＢＥＲ測定用信号が送信される。なお、第２実施形態では、終点ノード２ｃのＢＥＲ測定機能部１００は、始点ノード２ａから、光パスの両端点間でＢＥＲ測定処理を行うことを示すメッセージを受信した場合に、スイッチング部２０をＢＥＲ用に設定する。
【００９８】
ＢＥＲ測定機能部１００は、被測定側の機能として、他方の端点ノードから、ＢＥＲ測定用ポート１４ａを介してＢＥＲ測定用信号を受信し、受信したＢＥＲ測定用信号からＢＥＲを測定する。ＢＥＲの被測定側のノードは、ＢＥＲ測定用信号の受信を実際に行う前に、入力インターフェースのＢＥＲ測定用ポート１４ａを介してＢＥＲ測定用信号が受信できるように準備する。ＢＥＲ測定機能部１００は、ＢＥＲの測定結果を、導通確認部５０の図示しない処理部に出力する。この図示しない処理部は、測定されたＢＥＲが満たすべき値の範囲（要求条件）に収まっているか否か（ＯＫ／ＮＧ判定）を判別し、条件を満たしているか否か（ＯＫ通知またはＮＧ通知）を制御サーバ４に通知する。
【００９９】
第２実施形態では、満たすべきＢＥＲの値として、ユーザがパス確立のリクエスト時に指示した値を用いることとした。したがって、ユーザが指定した値を、ＢＥＲ測定準備の指示として、制御サーバ４から端点ノードに対してパス確立指示と共にその都度通知する。この場合、ＢＥＲ測定準備の指示には、満たすべきＢＥＲの値や測定時間、ＢＥＲ測定用信号種別などが含まれる。なお、これに限らず、満たすべきＢＥＲの値は、導通確認システム側で事前に決めておくことも可能である。この場合、満たすべきＢＥＲの値は、端点のノードに事前に設定しておくことができる。
【０１００】
［導通確認システムの動作］
次に、図１０ないし図１２を参照（適宜図１、５，６および９参照）して、第２実施形態に係る導通確認システムにおいて、パス確立時に導通確認と共にＢＥＲ測定も行う動作手順について説明する。図１０は、双方向ともにＢＥＲの条件が満足できた場合の処理の流れを示すシーケンス図であり、図１１は、ＢＥＲ処理の詳細を示すシーケンス図であり、図１２は、いずれか一方のＢＥＲの条件が満足できない場合の処理の流れを示すシーケンス図である。
【０１０１】
［双方向ともにＢＥＲの条件が満足できた場合の処理の流れ]
まず、図１０を参照して、双方向ともにＢＥＲの条件が満足できた場合の処理の流れを説明する。なお、図６と同様な処理には同じ符号を付して重複する説明を省略すると共に、適宜簡略化して説明する。ステップＳ１の前提として、制御サーバ４は、パスＡの確立要求と同時に、品質の良い状態で信号を伝送するためにＢＥＲを測定するような要求を受信したものとする。これにより、制御サーバ４は、経路計算（ステップＳ１）後に、始点ノード２ａに対してパス確立指示と共にＢＥＲ測定準備の指示を出す（ステップＳ２ａ）。以降、図１０に示すステップＳ３〜ステップＳ８、Ｓ８ｂ、Ｓ９の各処理は図６と同様である。ただし、ステップＳ８ｂにおいて、始点ノード２ａが送信するメッセージは、テスト光送信通知メッセージ（ステップＳ８ａ）の意味も有していて、ＢＥＲ測定を行うことを通知するためのメッセージ（ＢＥＲ測定通知メッセージ）である。なお、ＢＥＲ測定通知メッセージは、シグナリングプロトコルのメッセージに限らずに、他のプロトコルのメッセージであってもよい。
【０１０２】
そして、ステップＳ８ｂに続くステップＳ４１〜ステップＳ４５の各処理は、図６に示すステップＳ１０〜ステップＳ１４の各処理と同様である。ただし、ステップＳ４１，Ｓ４４において、テスト光の送信を終了した後に、スイッチＳＷをデータ入出力用に設定するのではなく、スイッチＳＷをＢＥＲ用に設定する。
また、ステップＳ４２において、終点ノード２ｃが送信するメッセージは、ステップＳ８ｂに対応して、ＢＥＲ測定通知を受信したことを表すメッセージ（ＢＥＲ測定通知受信メッセージ）である。このＢＥＲ測定通知受信メッセージを受け取った始点ノード２ａは、次のように判定する。すなわち、始点ノード２ａは、「終点ノード２ｃが下流方向の導通正常性を確認しており、かつ、終点ノード２ｃが導通確認に続けてＢＥＲ測定を行うことを把握した」と判定する。つまり、始点ノード２ａは、下流方向の導通が正常であると判定する（ステップＳ４３）。
【０１０３】
そして、ステップＳ４５までの処理により、確立するパスの双方向の導通確認が成功した後、始点ノード２ａは、ステップＳ４６のＢＥＲ測定処理（ステップＳ４６ａ）を行うための準備を行う。また、終点ノード２ｃは、ステップＳ４６のＢＥＲ測定処理（ステップＳ４６ｂ）を行うための準備を行う。
【０１０４】
ここで、図１１を参照する。ＢＥＲ測定処理において、まず、始点ノード２ａから終点ノード２ｃの向き（下流方向）のＢＥＲ測定では、ステップＳ４６ａにおいて、終点ノード２ｃはＢＥＲ測定通知メッセージ（ステップＳ８ｂ）を受けて、実際にＢＥＲを測定するための準備ができているものとする。そして、始点ノード２ａは、ＢＥＲ測定用の信号を出力するための準備を行い、準備ができたらＢＥＲ測定用の信号を出力する（ステップＳ５１）。
【０１０５】
始点ノード２ａからＢＥＲ測定用の信号を受信した終点ノード２ｃは、そのＢＥＲを測定し、測定されたＢＥＲが要求条件を満たしているか否かを判定し（ステップＳ５２：ＯＫ／ＮＧ判定）、判定結果をＢＥＲの判定通知（ＯＫ通知またはＮＧ通知）として制御サーバ４に通知し（ステップＳ５３）、下流方向の測定を終了する（ステップＳ５４）。
【０１０６】
そして、終点ノード２ｃからＢＥＲの判定通知（ＯＫ通知またはＮＧ通知）を受け取った制御サーバ４は、始点ノード２ａに対してＢＥＲ測定用の信号出力を終了させる指示を出する（ステップＳ５５）。その指示を受け取った始点ノード２ａは、ＢＥＲ測定用の信号出力を終了する（ステップＳ５６）。
【０１０７】
始点ノード２ａおよび終点ノード２ｃは、始点ノード２ａから終点ノード２ｃの向きのＢＥＲ測定（ステップＳ４６ａ）を終了したら、逆方向（上流方向）のＢＥＲ測定を実施する（ステップＳ４６ｂ）。ステップＳ４６ｂを示す一連の処理（ステップＳ６１〜ステップＳ６６）は、ステップＳ４６ａにおいて始点ノード２ａの役割と終点ノード２ｃの役割とを入れ替えた処理に相当するので説明を省略する。
【０１０８】
そして、図１０に示すように、制御サーバ４が終点ノード２ｃからＯＫ通知を受信する（ステップＳ７１）と共に、始点ノード２ａからもＯＫ通知を受信した場合（ステップＳ７２）、双方向ともＢＥＲが条件を満たしていることになる。この場合、制御サーバ４は、始点ノード２ａと終点ノード２ｃとに対して、スイッチング部２０のスイッチＳＷをデータ入出力用に設定するよう指示（経路スイッチング指示）を出す（ステップＳ７３）。そして、指示（経路スイッチング指示）を受けた始点ノード２ａと終点ノード２ｃは、それぞれ、制御部４０によって、スイッチング部２０のスイッチＳＷをデータ入出力用に設定する（ステップＳ７４、Ｓ７５）。これにより、始点ノード２ａから終点ノード２ｃに対してデータ（光信号）が送信されることになる（ステップＳ７６）。
【０１０９】
一方、片方向でもＢＥＲが要求条件を満たしていなかった場合、例えば、図１２に示すように終点ノード２ｃがＮＧ通知を制御サーバ４に送信した場合（ステップＳ８１）、制御サーバ４は、別経路を見つけるために再計算を行う（ステップＳ８２）。また、このときＢＥＲを満たしていないと判定したノード（終点ノード２ｃ）は、もう一方の端点のノード（始点ノード２ａ）に向けて、RSVPパス解除メッセージを送信する（ステップＳ８３）。
【０１１０】
第２実施形態においては、光パスの確立とその導通試験とを実施するだけではなくＢＥＲ測定処理を行うので、確立した光パスで伝送される信号の品質を測定することができる。また、事前に定められる信号品質の要求条件を満たさない場合に、迅速に制御サーバ４に通知することで再計算されたパスを確立し、双方向の導通が正常であり、かつ、信号品質の要求条件を満足する場合に、スイッチＳＷをデータ入出力用に設定するので、信号品質の要求条件を満たす光パスをユーザに提供することが可能である。
【０１１１】
以上、本発明の各実施形態について説明したが、本発明はこれらに限定されるものではなく、その趣旨を変えない範囲で実施することができる。例えば、第２実施形態では、導通試験の後に続けてＢＥＲ測定を行うものとして説明したが、ＢＥＲ測定を兼ねて導通試験を実施することも可能である。
【０１１２】
この場合、図示は省略するが、図１０に示す処理と同様に、終点ノード２ｃが、テスト光の送信を開始するステップ（Ｓ５）にて、ＢＥＲ測定用信号としてテスト光を送信する。そして、始点ノード２ａが、導通確認を実行するステップ（Ｓ６）にて、終点ノード２ｃから送信されるテスト光を受信して光パスの始点向きの帯域リソースの導通が正常であるか否かを判別すると共に、受信したテスト光からＢＥＲを測定し、さらに、テスト光の送信を開始するステップ（Ｓ８）にて、ＢＥＲ測定用信号としてテスト光を送信する。続いて、終点ノード２ｃが、導通確認を実行するステップ（Ｓ９）にて、始点ノード２ａから送信されるテスト光を受信して光パスの終点向きの帯域リソースの導通が正常であるか否かを判別すると共に、受信したテスト光からＢＥＲを測定すればよい。ここで、スイッチＳＷの設定は、導通試験用の設定がＢＥＲ用の設定を兼ねることとなる。これにより、導通試験とＢＥＲ測定とを個別に実施する場合よりも短時間で終了することが可能である。したがって、信号品質の要求条件を満たす光パスをユーザに素早く提供することが可能である。
【０１１３】
また、各実施形態では、パス設定要求を受けた通信装置２が、パス確立シグナリングを通信装置２間で流すこととしたが、パス確立はシグナリングを用いる手法以外にも、制御サーバ４が光パス経路上の各装置に対して指示することで実施してもよい。この場合には、ネットワークオペレータ等が光パスの確立とその導通試験とを監視しながら光パスを設定することが可能である。
【０１１４】
また、各実施形態では、ステップＳ３にて、始点ノード２ａがRSVP Path Messageを送信することで、終点ノード２ｃから始点ノード２ａ向き（上流方向）の帯域リソースが確保されるものとして説明したが、このRSVP Path Messageによって同時に、始点ノード２ａから終点ノード２ｃの向き（下流方向）の帯域リソースも確保されてもよい。この場合、ステップＳ３をトリガにテスト光を送信した終点ノード２ｃは、ステップＳ５ａにて、テスト光を送信したことを通知するメッセージとしてRSVP Resv Messageを送信することとなる。
【０１１５】
また、各実施形態では、例えば終点ノード２ｃが、ステップＳ５にて、テスト光の送信を開始すると、ステップＳ１０まで、テスト光の送信を継続し、この送信中に（始点ノード２ａは受信中に）、導通確認を行う（ステップＳ９）ものとしたが、本発明はこれに限定されない。例えば、終点ノード２ｃは、テスト光の送信を開始してから予め定めた時間が経過したら送信を停止するようにしてもよい。つまり、終点向きの帯域リソースの確保（ステップＳ５ａ）、始点ノード２ａによる導通確認（ステップＳ６）、始点ノード２ａによるテスト光の送信の開始（ステップＳ８）の各処理が実行されるタイミングは、始点ノード２ａがテスト光の受信中である場合に限定されず、受信後であってもよい。これによれば、終点ノード２ｃは、テスト光の途絶を素早く検出することができる。
【０１１６】
また、始点ノード２ａは、光パスの始点側のレイヤ１装置や光クロスコネクト装置のコンピュータを、前記したスイッチング制御手段４１、シグナリングメッセージ制御手段４２および導通確認部５０の図示しない処理部として機能させるプログラムにより動作させることで実現することができる。このプログラムは、ＣＤ−ＲＯＭ等の記録媒体に書き込んで配布することも可能である。
【０１１７】
同様に、終点ノード２ｃは、光パスの終点側のレイヤ１装置や光クロスコネクト装置のコンピュータを、前記したスイッチング制御手段４１、シグナリングメッセージ制御手段４２および導通確認部５０の図示しない処理部として機能させるプログラムにより動作させることで実現することができる。このプログラムは、ＣＤ−ＲＯＭ等の記録媒体に書き込んで配布することも可能である。
【０１１８】
また、これらプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワークや電話回線等の通信回線のように情報を伝送する機能を有する媒体のことをいう。また、これらプログラムは、前記した処理の一部を実現するためのものであってもよい。さらに、前記した処理を、別の装置に既に記録されているプログラムとの組み合わせで実現できるもの、いわゆる差分ファイル（差分プログラム）であってもよい。
【図面の簡単な説明】
【０１１９】
【図１】本発明の実施形態に係る導通確認システムの概要を示す説明図であって、（ａ）は全体構成の一例、（ｂ）は設定されるパスの一例をそれぞれ示している。
【図２】本発明の実施形態に係る通信装置の構成の一例を示す機能ブロック図である。
【図３】図２に示す通信装置が記憶するインターフェース情報の一例を示す図である。
【図４】図２に示す通信装置が記憶する光パス情報の一例を示す図である。
【図５】図１に示す制御サーバの構成の一例を示すブロック図である。
【図６】本発明の実施形態に係る導通確認システムで導通を確認するまでの処理の流れを示すシーケンス図である。
【図７】本発明の実施形態に係る導通確認システムで上流方向の導通が確認されない場合の処理の流れを示すシーケンス図である。
【図８】本発明の実施形態に係る導通確認システムで下流方向の導通が確認されない場合の処理の流れを示すシーケンス図である。
【図９】本発明の他の実施形態に係る通信装置の構成の一例を示すブロック図である。
【図１０】本発明の他の実施形態に係る導通確認システムで高品質な光信号の導通を確認するまでの処理の流れを示すシーケンス図である。
【図１１】図１０に示すＢＥＲ測定処理の流れを示すシーケンス図である。
【図１２】本発明の他の実施形態に係る導通確認システムで高品質な光信号の導通が確認されない場合の処理の流れを示すシーケンス図である。
【図１３】従来の導通確認方法で導通を確認するまでの処理の流れを示すシーケンス図である。
【図１４】従来の他の導通確認方法で導通を確認するまでの処理の流れを示すシーケンス図である。
【符号の説明】
【０１２０】
１      導通確認システム
２（２ａ，２ｂ，２ｃ）、２Ａ  通信装置
３（３ａ，３ｂ，３ｃ）      信号送受信装置
４      制御サーバ（制御装置）
５      データリンク
６      制御リンク
１０    入出力部
１１    サーバ用ポート
１２ａ，１２ｂ  パス確立用ポート
１３ａ，１３ｂ  データ入出力用ポート
１４ａ，１４ｂ  ＢＥＲ測定用ポート
２０    スイッチング部
３０    記憶部
３１    インターフェース情報
３２    光パス情報
４０    制御部
４１    スイッチング制御手段
４２    シグナリングメッセージ制御手段
５０    導通確認部（導通確認手段）
６０    入出力部
７０    送受信部
８０    記憶部
８１    インターフェース情報
８２    光パス情報
９０    制御部
９１    経路計算手段
９２    ノード制御手段
１００  ＢＥＲ測定機能部
ＮＷ    ネットワーク
【図１】
2010098521.tif 000003
【図２】
2010098521.tif 000004
【図３】
2010098521.tif 000005
【図４】
2010098521.tif 000006
【図５】
2010098521.tif 000007
【図６】
2010098521.tif 000008
【図７】
2010098521.tif 000009
【図８】
2010098521.tif 000010
【図９】
2010098521.tif 000011
【図１０】
2010098521.tif 000012
【図１１】
2010098521.tif 000013
【図１２】
2010098521.tif 000014
【図１３】
2010098521.tif 000015
【図１４】
2010098521.tif 000016